【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
皮膚科治療装置であって、
皮膚領域において所望の美容効果の達成を促進するのに十分な光エネルギーを放出可能な少なくとも1つのパルス可能フラッシュランプと、
交流線源と電気連通した交流線電圧検出器であって、前記交流線電圧が最小動作電圧閾値を上回るときを示すデューティサイクルを備えた信号を動的に生成する交流線電圧検出器と、
前記フラッシュランプ及び前記交流線源と電気連通するパルス駆動回路であって、該パルス駆動回路は電気エネルギーを前記交流線源から実質的に直接受け取るよう適合され、その際に、必要な電気エネルギーの約10％未満がコンデンサから供給され、残りを前記交流線源から受け取り、該パルス駆動回路により供給される前記電気エネルギーの少なくとも1つの特性は、前記電圧検出器によって発生される前記信号の前記デューティサイクルに少なくとも部分的に基づく、パルス駆動回路と、
前記パルス駆動回路及び前記電圧検出器と電気連通すると共に、前記電圧検出器により発生される前記信号に少なくとも部分的に基づいて、前記パルス駆動回路から前記フラッシュランプへ電気エネルギーの伝達を選択的に可能とする制御回路であって、電気エネルギーのこうした選択的伝達が前記フラッシュランプをパルス動作させて、前記所望の美容効果の達成を促進するのに十分な光エネルギーを放出させる、制御回路とを含む、皮膚科治療装置。
【請求項２】
前記交流線電圧検出器により生成される前記信号が、前記交流線源により供給される前記電気エネルギーの周波数を示す、請求項1に記載の皮膚科治療装置。
【請求項３】
前記電圧検出器により生成される前記信号の前記デューティサイクルは、前記交流線源が高ライン交流電圧か低ライン交流電圧のいずれを供給しているかを示す、請求項1に記載の皮膚科治療装置。
【請求項４】
前記パルス駆動回路が、
前記交流線源によって供給される前記電気エネルギーを整流する整流器回路と、
前記整流電気エネルギーを受け取ると共に、前記制御回路の制御下で対応する調整電流を前記フラッシュランプに提供するバックレギュレータ回路とを含む、請求項1に記載の皮膚科治療装置。
【請求項５】
前記パルス駆動回路が、
前記フラッシュランプにおける前記調整電流の示度を与える電流センサと、
前記整流器回路及び前記バックレギュレータ回路と電気連通したスイッチであって、前記整流電気エネルギーを前記バックレギュレータ回路に選択的に伝達可能とするスイッチとを含み、
前記制御回路が、
前記スイッチ及び前記電流センサと電気連通したコンパレータであって、前記電流センサからの前記示度と基準電圧との比較に基づいて前記スイッチを制御するための信号を生成するコンパレータと、
前記交流線電圧検出器及び前記コンパレータと電気連通したマイクロプロセッサであって、前記電圧検出器により発生された前記信号の前記デューティサイクルに少なくとも部分的に基づいて前記基準電圧のレベルを求めるマイクロプロセッサとを含む、請求項4に記載の皮膚科治療装置。
【請求項６】
前記マイクロプロセッサは、前記フラッシュランプが確実に所望のフルーエンス範囲内で光エネルギーを放出するように前記基準電圧を修正する、請求項5に記載の皮膚科治療装置。
【請求項７】
前記マイクロプロセッサは、冷却システム故障と、高温状態と、ユーザ入力と、前記装置による前記皮膚領域の少なくとも1つの表面への物理的接触を維持できないことと、不適切な構成状態と、保守状態とのいずれか1つに応答して前記パルス駆動回路を動作不能にする、請求項1に記載の皮膚科治療装置。
【請求項８】
前記パルス駆動回路によって与えられる前記電気エネルギーの前記特性は、電流レベル、電流パルス持続時間、及びパルス間遅延間隔の少なくとも1つを含む、請求項1に記載の皮膚科治療装置。
【請求項９】
前記制御回路が前記パルス駆動回路を動作可能として、前記フラッシュランプを所定の光パルスのシーケンスでパルス動作させる、請求項1に記載の皮膚科治療装置。
【請求項１０】
前記光パルスのシーケンスが少なくとも2つの光パルスである、請求項9に記載の皮膚科治療装置。
【請求項１１】
前記所望の美容効果が一時的脱毛の場合は、前記光パルスのシーケンスが、
a)前記皮膚領域の表面に約5-10J/cm2の範囲の総計フルーエンスと、
b)約3-15ミリ秒の範囲のパルス間遅延間隔を備えた約3-8ミリ秒の範囲の個別光パルス幅と、
c)少なくとも850-1100ナノメートルの範囲の波長とを与える、請求項9に記載の皮膚科治療装置。
【請求項１２】
前記光パルスのシーケンスが少なくとも毎秒1回繰り返す、請求項9に記載の皮膚科治療装置。
【請求項１３】
前記光パルスのシーケンスが少なくとも1秒を上回る間隔で繰り返す、請求項9に記載の皮膚科治療装置。
【請求項１４】
前記光パルスのシーケンスが、前記パルス可能フラッシュランプを収容したハンドピース内の少なくとも1つの温度測定値に基づいて可変間隔で繰り返す、請求項9に記載の皮膚科治療装置。
【請求項１５】
前記光のパルスシーケンスにおける各パルス間のパルス間遅延間隔が、前記皮膚領域の標的の熱緩和時間よりも短い、請求項9に記載の皮膚科治療装置。
【請求項１６】
前記光のパルスシーケンスにおける各パルス間の前記パルス間遅延間隔が、前記皮膚領域の表皮の熱緩和時間と少なくとも同じ長さである、請求項15に記載の皮膚科治療装置。
【請求項１７】
前記光のパルスシーケンスにおける各パルス間のパルス間遅延間隔が、前記皮膚領域に関連した皮膚のタイプに少なくとも部分的に基づいている、請求項9に記載の皮膚科治療装置。
【請求項１８】
前記光のパルスシーケンスにおける各光パルスのパルス幅が、約1マイクロ秒から約17ミリ秒の範囲内である、請求項9に記載の皮膚科治療装置。
【請求項１９】
前記最小動作電圧閾値を上回る前記交流線電圧の前記デューティサイクルが、前記放出される光エネルギーのパルス幅に概ね対応する、請求項1に記載の皮膚科治療装置。
【請求項２０】
前記最小動作電圧閾値を上回る前記交流線電圧の前記デューティサイクルが、前記放出される光エネルギーのパルス幅よりも大きい、請求項1に記載の皮膚科治療装置。
【請求項２１】
皮膚科治療装置であって、
皮膚領域において所望の美容効果の達成を促進するのに十分な光エネルギーを放出可能な少なくとも1つのパルス可能フラッシュランプと、
交流線電圧が最小動作電圧閾値を上回るときを示すデューティサイクルを備えた信号を動的に生成する交流線電圧検出器であって、前記最小動作電圧閾値が、前記フラッシュランプをパルス動作させ且つシマー状態において、治療に効果的な量の光エネルギーを前記皮膚領域に放出させるのに十分な電気エネルギーレベルに一致した、交流線電圧検出器と、
前記交流線電圧検出器と電気連通した制御回路であって、前記発生された信号に少なくとも部分的に基づいて、所望の電流を前記フラッシュランプに選択的に伝達可能とする制御回路とを含む、皮膚科治療装置。
【請求項２２】
前記フラッシュランプの少なくとも1つの特性を示す少なくとも1つの所定値を記憶するメモリと、
前記フラッシュランプと電気連通したパルス駆動回路であって、前記フラッシュランプを繰り返しパルス動作させて、シマー状態において治療に効果的な量の光エネルギーを前記皮膚領域に放出させるパルス駆動回路とをさらに含み、前記パルス駆動回路により前記フラッシュランプに供給される電気エネルギーは、前記交流線から概ね直接的に得られ、前記メモリに記憶された前記所定値に少なくとも部分的に基づく、請求項21に記載の皮膚科治療装置。
【請求項２３】
前記フラッシュランプの少なくとも1つの特性を示す少なくとも1つの所定値を記憶するメモリと、
コンデンサ再電荷期間によって制限されずに前記フラッシュランプを繰り返しパルス動作させうるスイッチング電源とをさらに含み、前記電源により供給される電気エネルギーは、前記フラッシュランプを駆動させて皮膚領域で所望の美容効果の達成を促進するのに十分な光パルスのシーケンスを放出させ、前記電気エネルギーが荷電コンデンサからの電気エネルギーを実質的に含まず、前記メモリに記憶された前記所定値に少なくとも部分的に基づく、請求項21に記載の皮膚科治療装置。
【請求項２４】
前記フラッシュランプを駆動するパルス電気エネルギーを供給して、皮膚領域において所望の美容効果の達成を促進するのに十分なパルス光エネルギーを前記フラッシュランプに放出させるパルス駆動回路とをさらに含み、前記パルス光エネルギーのパルス幅が、前記交流線電圧検出器によって生成された前記示度に基づいて可変である、請求項21に記載の皮膚科治療装置。
【請求項２５】
前記フラッシュランプの少なくとも1つの特性を示す少なくとも1つの所定値を記憶するメモリと、
前記フラッシュランプ及び前記メモリを収容すると共に、前記フラッシュランプの定期的な交換を容易にする交換可能カートリッジと、
前記フラッシュランプを作動させ、皮膚領域において所望の美容効果の達成を促進するのに十分な光学放射線を放出させうる電源と、
前記電源及び前記交換可能カートリッジ内の前記メモリと連通した制御回路であって、前記電源に、前記フラッシュランプに供給される電流を、前記メモリに記憶された前記所定値に少なくとも部分的に基づいて定期的に増加させる制御回路とをさらに含む、請求項21に記載の皮膚科治療装置。
【請求項２６】
前記少なくとも1つの所定値が前記少なくとも1つのフラッシュランプの老化特性を示す、請求項25に記載の皮膚科治療装置。
【請求項２７】
前記少なくとも1つの所定値が前記少なくとも1つのフラッシュランプの効率を示す、請求項25に記載の皮膚科治療装置。
【請求項２８】
光に基づく皮膚科治療装置のための交換可能カートリッジであって、
少なくとも1つのフラッシュランプと、
フラッシュランプ特性決定システムであって、
前記フラッシュランプの少なくとも1つの特性を記憶するよう構成されたメモリであって、皮膚科治療セッション時に、前記フラッシュランプに所望量の光学放射線を確実に放出させるようにさらに構成されているメモリを含むフラッシュランプ特性決定システムとを含み、
前記少なくとも1つの記憶されたフラッシュランプ特性は、前記フラッシュランプの老化の結果としての減少した光出力を補正するための電気補償係数であり、
前記少なくとも1つのフラッシュランプに供給される電気エネルギーの量は、少なくとも部分的には前記メモリに記憶された前記少なくとも1つのフラッシュランプ特性に応答して基づいている、交換可能カートリッジ。
【請求項２９】
前記少なくとも1つの記憶されたフラッシュランプ特性が、さらに、前記フラッシュランプの最大フラッシュカウント、現在のフラッシュカウント、皮膚領域で所望の美容効果の達成を促進するのに十分な光学放射線を放出させるよう前記フラッシュランプを駆動するのに必要な初期電流量、及び前記フラッシュランプが放出する濾過波長域の少なくとも1つである、請求項28に記載の交換可能カートリッジ。
【請求項３０】
電流が、前記パルス駆動回路により供給される前記電気エネルギーに応答して前記フラッシュランプを流れ、前記電流は60ミリ秒と130ミリ秒との間の総計パルス幅を備える電流波形に従って流れ、前記電流波形は、前記電流が1ないし25アンペアの範囲にわたる強度レベルを備える第1期間と、前記電流の強度レベルが40ないし60アンペアの範囲にわたる第2期間とを備える、請求項1に記載の皮膚科治療装置。
【請求項３１】
前記電流の前記強度レベルは、前記電流波形の前記第1期間において1アンペアないし15アンペアの範囲にわたる、請求項30に記載の皮膚科治療装置。
【請求項３２】
前記電流波形は、前記電流の前記強度レベルが40アンペアないし60アンペアの範囲にわたる1つまたは複数の付加的期間を含み、連続した期間は、前記電流の前記強度レベルがシマー電流である期間によって分離される、請求項30に記載の皮膚科治療装置。
【請求項３３】
前記所望の電流は、60ミリ秒と130ミリ秒との間の総計パルス幅を備えた電流波形に従って前記フラッシュランプを流れ、前記電流波形は、前記所望の電流が1ないし25アンペアの範囲にわたる強度レベルを備える第1期間と、前記所望の電流の強度レベルが40ないし60アンペアの範囲にわたる第2期間とを備える、請求項21に記載の皮膚科治療装置。
【請求項３４】
前記総計パルス幅が110ミリ秒である、請求項33に記載の皮膚科治療装置。
【請求項３５】
前記所望電流の前記強度レベルは、前記電流波形の前記第1期間において1アンペアないし15アンペアの範囲にわたる、請求項33に記載の皮膚科治療装置。
【請求項３６】
前記電流波形は、前記所望の電流の前記強度レベルが40アンペアないし60アンペアの範囲にわたる1つまたは複数の付加的期間を含み、連続した期間は、前記電流の前記強度レベルがシマー電流である期間によって分離される、請求項33に記載の皮膚科治療装置。
【請求項３７】
前記電流波形は、前記電流の前記強度レベルが40アンペアないし60アンペアの範囲にわたる1つまたは複数の付加的期間を含み、前記電流の前記強度レベルが40アンペアと60アンペアの間である連続した期間は、前記所望の電流の前記強度レベルがシマー電流レベルである期間によって分離される、請求項33に記載の皮膚科治療装置。
【請求項３８】
前記電流波形の前記第1および第2期間は時間的に連続している、請求項33に記載の皮膚科治療装置。
【請求項３９】
電流が、前記パルス駆動回路により供給される前記パルス電気エネルギーに応答して前記フラッシュランプを流れ、前記電流は、60ミリ秒と130ミリ秒との間の総計パルス幅を備えた電流波形に従って流れ、前記電流波形は、前記電流が1ないし25アンペアの範囲にわたる強度レベルを備える第1期間と、前記電流の強度レベルが40ないし60アンペアの範囲にわたる第2期間とを備える、請求項24に記載の皮膚科治療装置。
【請求項４０】
前記総計パルス幅が110ミリ秒である、請求項39に記載の皮膚科治療装置。
【請求項４１】
前記電流の前記強度レベルは、前記電流波形の前記第1期間において1アンペアないし15アンペアの範囲にわたる、請求項39に記載の皮膚科治療装置。
【請求項４２】
前記電流波形は、前記電流の前記強度レベルが40アンペアないし60アンペアの範囲にわたる1つまたは複数の付加的期間を含み、連続した期間は、前記電流の前記強度レベルがシマー電流である期間によって分離される、請求項39に記載の皮膚科治療装置。